(57)【特許請求の範囲】
【請求項１】
吸排気が可能な面体と、頭部に当接可能であり非伸長性で半剛性な環状部材と、前記面体の両側部それぞれと前記環状部材の両側部それぞれとの間に介在しており弾性的な伸長性を有する柔軟な一対のバンドとを有し、前記バンドそれぞれの長さをバックルによって調節可能なバンド付きマスクにおいて、
前記環状部材が前記頭部の頂部を通り前記頭部の両側部へ延びることが可能な上方ベルト部と、前記頭部の後部を通り前記両側部へ延びることが可能な下方ベルト部と、前記上方ベルト部と下方ベルト部との端部どうしを前記頭部の両側部それぞれにおいてつなぐ連結部とを有し、
一対の前記バンドそれぞれは、前記環状部材の連結部に取り付けられた固定端部と、前記固定端部の反対端部であって前記バックルにまで延びる自由端部と、前記面体の前記側部に摺動可能に掛け回されて前記マスクの後方へ延びて前記固定端部と前記自由端部とのそれぞれにつながる中間部とを有し、前記自由端部は、前記面体から後方へ向かって延びる部分が前記環状部材の下方ベルト部において前記下方ベルト部の長さ方向中央部に前記下方ベルト部の長さ方向へ摺動可能に支持された後に、前記環状部材の後方へ延びて前記バックルに形成されており前記長さ方向において互いに並列する２条のバンド通し孔に長さ調節可能かつ前記面体へ向かって折り返されるように挿通されていることを特徴とする前記バンド付きマスク。
【請求項２】
前記バックルは、前記下方ベルト部の長さ方向において互いに並列する４条のバンド通し孔を有する請求項１記載のバンド付きマスク。
【請求項３】
前記半剛性な環状部材がポリエチレン、ポリプロピレン、ナイロン、ポリエステルのいずれかからなるものであって、前記下方ベルト部の前記中央部に前記下方ベルト部の長さ方向において互いに並列する４条の透孔を有し、一対の前記バンドのそれぞれが前記４条の透孔のうちの互いに隣接する２条の透孔に挿通されている請求項１または２記載のバンド付きマスク。
【発明の詳細な説明】
【０００１】
【発明の属する技術分野】
この発明は、防塵用や防毒用のものとして好適であり、着用を容易にするためのバンドを有するマスクに関する。
【０００２】
【従来の技術】
従来、防塵用や防毒用のマスクとして、吸排気可能な面体と、マスク着用者の頭部に当接可能な半剛性の環状部材と、実質的意味においてこれら面体と環状部材とを頭部の両側部で連結している弾性的に伸長可能な一対のバンドとを有するバンド付きマスクは周知である。面体には防塵用や防毒用のフィルタと逆止弁とが取り付けられ、一対のバンドの端部は面体から頭部の後方へ延び、バックルを介して長さ調節可能に連結される。このマスクを着用するときには、マスク着用者の顔に面体を当てる一方、頭部に環状部材を当てて、バンドに張力が作用するようにバックルを使ってバンドの長さを調節する。
【０００３】
【発明が解決しようとする課題】
前記従来のマスクを着用するときには、頚部または頭部の後方で一対のバンドのバックルを連結する作業が必要となり、またバンドの長さを調節する作業も必要となる。さらには、着用後にバックルの位置が頭部において適切であるか否かを確認する作業も必要となる。こうした諸作業の必要性によって、従来のマスクは、子供やマスクの使用に不慣れなものがこれを速やかに着用するということが必ずしも容易ではなかった。
【０００４】
この発明は、前記従来のマスクにおいて、これを着用するときの諸作業を少なくして、マスクの着用を容易にすることを課題にしている。
【０００５】
【課題を解決するための手段】
前記課題解決のために、この発明が対象とするのは、吸排気が可能な面体と、頭部に当接可能であり非伸長性で半剛性な環状部材と、前記面体の両側部それぞれと前記環状部材の両側部それぞれとの間に介在しており弾性的な伸長性を有する柔軟な一対のバンドとを有し、前記バンドそれぞれの長さをバックルによって調節可能なバンド付きマスクである。
【０００６】
かかるバンド付きマスクにおいて、この発明が特徴とするところは、次のとおりである。前記環状部材が前記頭部の頂部を通り前記頭部の両側部へ延びることが可能な上方ベルト部と、前記頭部の後部を通り前記両側部へ延びることが可能な下方ベルト部と、前記上方ベルト部と下方ベルト部との端部どうしを前記頭部の両側部それぞれにおいてつなぐ連結部とを有する。一対の前記バンドそれぞれは、前記環状部材の連結部に取り付けられた固定端部と、前記固定端部の反対端部であって前記バックルにまで延びる自由端部と、前記面体の前記側部に摺動可能に掛け回されて前記マスクの後方へ延びて前記固定端部と前記自由端部とのそれぞれにつながる中間部とを有する。前記自由端部は、前記面体から後方へ向かって延びる部分が前記環状部材の下方ベルト部において前記下方ベルト部の長さ方向中央部に前記下方ベルト部の長さ方向へ摺動可能に支持された後に、前記環状部材の後方へ延びて前記バックルに形成されており前記長さ方向において互いに並列する２条のバンド通し孔に長さ調節可能かつ前記面体へ向かって折り返されるように挿通されている。
【０００７】
この発明には、次のような好ましい実施態様がある。
（１）前記バックルは、前記下方ベルト部の長さ方向において互いに並列する４条のバンド通し孔を有する。
（２）前記半剛性な環状部材がポリエチレン、ポリプロピレン、ナイロン、ポリエステルのいずれかからなるものであって、前記下方ベルト部の前記中央部に前記下方ベルト部の長さ方向において互いに並列する４条の透孔を有し、一対の前記バンドのそれぞれが前記４条の透孔のうちの互いに隣接する２条の透孔に挿通されている。
【０００８】
この発明におけるかような解決手段において、半剛性な環状部材とは、外力が加えられなければその部材に固有の立体的な形状を保つことができる一方、例えばバンドを介して外力が加えられると、その立体的な形状が容易に変化して環状部材が当接している頭部の形状に倣うことが容易なものであることを意味している。
【０００９】
【発明の実施の形態】
添付の図面を参照して、この発明に係るバンド付きマスクの詳細を説明すると、以下のとおりである。
【００１０】
図１、２に斜視図と着用状態にあるときの斜視図とが示されているバンド付きマスク１は、面体２と、マスク１の着用者３の頭部に上方から当接可能な環状部材１１と、環状部材１１と協働して面体２を着用者３の顔に密着させるための長さ調節可能な一対のバンド１２とを有する。面体２は、着用者３の口許と鼻孔の周辺とを吸排気可能な状態で覆うことができるとともにフィルタ７によって吸気をろ過することができるもので、前方にフィルタ取り付け部６と、取り付け部６に交換可能に納まるフィルタ７と、このフィルタ７を前面からおさえる通気性保護カバー８とを有し、後方に柔軟弾性材料で形成された顔面当接部９を有する。フィルタ取り付け部６と顔面当接部９との間に位置する中間部分１０には、排気用の逆止弁（図示せず）が取り付けられている。マスク１は、防じん用のものとしても、防毒用のものとしても使用することができ、その用途に応じてフィルタ７の種類が選択される。
【００１１】
環状部材１１は、ポリエチレンやポリプロピレン、ナイロン、ポリエステル樹脂等の非伸長性の材料からなる半剛性なもので、着用者３の頭部の頂部を通って両側部にまで延びるように弧を画いている上方ベルト部２１と、頭部の後方部分を通って両側部にまで延びるように弧を画いている下方ベルト部２２と、これら両ベルト部２１，２２それぞれの端部どうしをつなぐ一対の連結部２３とを有する。これらの材料からなる両ベルト部２１，２２は、好ましくは０．２〜１．５ｍｍ厚さと、３〜２０ｍｍの幅とを有する。一方の連結部２３から延びた上方ベルト部２１と下方ベルト部２２とは、連結部２３と２３との中間である頭部の幅方向中央部において最も大きく離間し、その後にもう一方の連結部２３へ向かって延びている。上方ベルト部２１と下方ベルト部２２とは、両連結部２３間において弧を画いて延びており、しかも半剛性であるから、僅かな外力が加わるだけで着用者３の頭部の曲面に倣うように容易に変形する。連結部２３は、ほぼ一様な厚さを有する平坦な部分で、そこに形成された長孔２７は、前方の面体２へ向かって凸となる円弧を画いている。かように形成された環状部材１１では、下方ベルト部２２が、図１に示されているように、両連結部２３と２３との中間部分２２ａに下方ベルト部２２の長さ方向において互いに並列し、下方ベルト部２２の幅方向へ延びる第１〜４からなる４条のバンド案内孔４１〜４４を有する。
【００１２】
一対のバンド１２を形成しているのは第１バンド１２ａと第２バンド１２ｂとであって、これらバンド１２ａ，１２ｂは実質的に同じもので、長さ方向への弾性的な伸長性を有し、好ましくは０．３ｍｍ〜２ｍｍの厚さと、３〜２０ｍｍの幅とを有する帯状材料によって形成される。その帯状材料には、例えばゴムまたはプラスチックエラストマ−からなるシートや弾性的な伸長性を有する繊維で形成された織り紐や編み紐、組み紐、不織布等が使用される。第１、２バンド１２ａ，１２ｂは、一端部が環状部材１１の長孔２７に通されて折り返され、糸３１で縫合されることによって形成された固定端部１６ａ，１６ｂと、固定端部１６ａ，１６ｂの反対端部である自由端部１７ａ，１７ｂと、これら固定端部と自由端部との間に位置する中間部１５ａ，１５ｂとを有する。固定端部１６ａ，１６ｂは、長孔２７の前縁部２８に対して前縁部２８の延びる方向へ摺動可能に当接している。第１、２バンド１２ａ，１２ｂは、環状部材１１の連結部２３に位置する固定端部１６ａ，１６ｂからマスク１の前方へ向かって延び、しかる後に中間部１５が面体２の両側部に形成された案内部１８に長さ方向へ摺動可能に掛け回され、さらにその後にマスク１の後方へ向かって延びている。
【００１３】
マスク１の後方部分に位置する自由端部１７ａ，１７ｂは、マスク１の前方から後方へ向かって延びる部分が、第１バンド１２ａにおいては、環状部材１１の下方ベルト部２２に形成されていて互いに隣接する第１、２バンド案内孔４１と４２とに順次通され、第２バンド１２ｂにおいては、下方ベルト部２２に形成されていて互いに隣接する第４、３バンド案内孔４４と４３とに順次通されている。第１バンド１２ａの自由端部１７ａは、第１バンド案内孔４１に下方ベルト部２２の外側から進入し、マスク１の中央部寄りに形成された第２バンド案内孔４２には内側から進入してその後に下方ベルト部２２の外側へ延びている。第２バンド１２ｂの自由端部１７ｂも同様に、第４バンド案内孔４４に外側から進入して、中央部寄りの第３バンド案内孔４３から外側へ延びている。下方ベルト部２２の第２バンド案内孔４２と第３バンド案内孔４３とから外側へ延びた第１、２バンド１２ａ，１２ｂの自由端部１７ａ，１７ｂは、下方ベルト部２２の後方においてバックル３０に通されている。
【００１４】
図３は、図２の部分図であって、第１、２バンド１２ａ，１２ｂが仮想線で示されている。バックル３０は、環状部材１１とは別体のもので、ほぼ矩形を呈する外形の内側に、下方ベルト部２２の長さ方向において並列し、下方ベルト部２２の幅方向へ延びる第１〜４からなる４条のバンド通し孔３１〜３４を有する。第１、２バンド１２ａ，１２ｂの自由端部１７ａ，１７ｂは、下方ベルト部２２の第１〜４バンド案内孔４１〜４４のそれぞれとバックル３０の第１〜４バンド通し孔３１〜３４のそれぞれとを向かい合わせた状態で第１〜４バンド通し孔３１〜３４に通される。
【００１５】
図４は、図１のＩＶ−ＩＶ線矢視図である。ただし、図４においてマスク１が着用した状態にあり、図２のマスク１とは違って、環状部材１１の下方ベルト部２２とバックル３０とがそれらの厚さ方向、すなわちマスク１の前後方向において接近した状態にある。図中の線Ｃ−Ｃは、マスク１を頭部の幅方向において二等分する中心線であり、マスク１は、この中心線Ｃ−Ｃに関して対称を成すように作られている。バンド１２において、例えば第１バンド１２ａの自由端部１７ａは、下方ベルト部２２の第２バンド案内孔４２から外側へ延びた後に、バックル３０における中心線Ｃ−Ｃ寄りに形成された第２バンド通し孔３２へ前方（図の下方）から通されて後方（図の上方）ヘ延びる。その自由端部１７ａは、さらに中心線Ｃ−Ｃとは反対側で第２通し孔３２に隣接している第１バンド通し孔３１に通される。このようにして、面体２から後方へ向かって延びた第１バンド１２ａが第２バンド通し孔３２において面体２へ向かって延びるように折り返される。第２バンド１２ｂもまた、面体２から後方へ延びた後にバックル３０の第３バンド通し孔３３で面体２へ向かって延びるように折り返され、その後に第４バンド通し孔３４に通される。
【００１６】
マスク１を着用するときに必要となる第１、２バンド１２ａ，１２ｂの長さは、自由端部１７ａ，１７ｂのうちで、第１、４バンド通し孔３１，３４に通されている部分３６ａ、３６ｂを長くしたり、短くしたりすることによって調整される。調整後の第１、２バンド１２ａ，１２ｂの長さは、図２の如くマスク１を着用したときに、これらのバンド１２ａ，１２ｂが環状部材１１とバックル３０との間で弾性的に伸長して、面体２が適度な強さで顔に密着する一方、環状部材２もまた適度な強さで頭部に密着する程度であることが好ましい。第１、２バンド１２ａ，１２ｂは、そのように伸長しても、バックル３０で折り返されているので緩むということはない。したがって、第１、２バンド１２ａ，１２ｂは、着用者３にとって好ましい長さに一度調整しておけば、その後は調整作業が不要となる。また、マスク１着用時のバックル３０は、第１、２バンド１２ａ，１２ｂが下方ベルト２２の中央部２２ａにおいて摺動可能に支持されていることによって、図４の如くその中央部２２ａの近傍に位置するか、またはさらに接近ないし密着し、常に中央部２２ａとほぼ同じ位置にある。それゆえ、このマスク１では、例えばマスクの使用に不慣れな子供が着用しても、面体２を顔に当接させ、環状部材１１を頭部に当接させると、一対のバンド１２の位置が図１に示されるように着用者３の頭部において適正な位置に来るので、そのバンド１２に対しては位置を調整する作業が不要となる。
【００１７】
かようなマスク１を着用して第１、２バンド１２ａ、１２ｂが伸長したときには、面体２と、環状部材１１の上方ベルト部２１と、第１、２バンド１２ａ，１２ｂとが着用者３の顔と頭部とに当接し、下方ベルト部２２では中央部２２ａと連結部２３の近傍とのみが頭部に当接して、これら中央部２２ａと連結部２３との間の部分は頭部に当接しないことがあるが、そのような場合においてもマスク１は正常に機能することが可能である。
【００１８】
【発明の効果】
この発明に係るバンド付きマスクは、面体と頭部に当接する非伸長性で半剛性な環状部材とを連結するための弾性的な伸長性を有する一対のバンドそれぞれの一端部が環状部材に固定される一方、その一端部の反対端部である自由端部がバックルに長さ調節可能に取り付けられており、そのバックルは、バンドが環状部材の下方ベルト部の中央部に摺動可能に支持されることによって、常にその中央部の近傍に位置するから、このマスクを着用するときには、マスク着用者の頭部においてバンドの位置が常に一定して適正な位置となり、バンドの位置を調整する作業が不要になる。
【図面の簡単な説明】
【図１】マスクの斜視図。
【図２】着用状態にあるマスクの斜視図。
【図３】マスクの要部斜視図。
【図４】図２のＩＶ−ＩＶ線断面図。
【符号の説明】
１      マスク
２      面体
１１      環状部材
１２，１２ａ，１２ｂ      バンド
１５      中間部
１６      固定端部
１７      自由端部
２１      上方ベルト部
２２      下方ベルト部
２２ａ      中央部分
２３      連結部
３０      バックル
３１      バンド通し孔
３２      バンド通し孔
３３      バンド通し孔
３４      バンド通し孔
４１      透孔（バンド案内孔）
４２      透孔（バンド案内孔）
４３      透孔（バンド案内孔）
４４      透孔（バンド案内孔）
【図１】
0003785431.tif 000002
【図２】
0003785431.tif 000003
【図３】
0003785431.tif 000004
【図４】
0003785431.tif 000005